(57)【特許請求の範囲】
【請求項１】
複数のマルチキャスト受信局との間で共通物理チャネルと個別物理チャネルを用いてマルチキャスト通信をおこなうマルチキャスト送信局において、
共通物理チャネルを用いて前記複数のマルチキャスト受信局に対してマルチキャストデータを送信するデータ送信手段と、
前記複数のマルチキャスト受信局による送達確認通知を受信するために、共通物理チャネルを用いてポール付きマルチキャストデータを送信する共通ポール通知手段と、
個別物理チャネル上で受信した前記送達確認通知に基づいて、個別ポール通知をおこなうマルチキャスト受信局を一つ選択する選択手段と、
前記選択手段によって選択したマルチキャスト受信局に対して個別物理チャネルを用いてポール要求メッセージを送信する個別ポール通知手段と、
前記選択手段によって選択したマルチキャスト受信局から個別物理チャネル上で受信した再送要求に基づいて、共通物理チャネルを用いて前記マルチキャストデータを再送するデータ再送手段と、
を備えたことを特徴とするマルチキャスト送信局。
【請求項２】
前記選択手段は、受信した送達確認通知のうち、最も小さいシーケンス番号を有する送達確認通知を送信したマルチキャスト受信局を選択することを特徴とする請求項１に記載のマルチキャスト送信局。
【請求項３】
前記マルチキャスト受信局に対し、共通物理チャネルを用いて現状の順序通りに送達確認されている次のシーケンス番号を通知するシーケンス番号通知手段を備えたことを特徴とする請求項１または２に記載のマルチキャスト送信局。
【請求項４】
前記ポール付きマルチキャストデータの送信に対する前記複数のマルチキャスト受信局の送達確認通知応答を監視するためのタイマ起動手段と、
前記タイマ起動手段によって起動されたタイマのタイムアウト時に、前記ポール付きマルチキャストデータの送信回数が所定回数以上であるか否かを判定するポール回数判定手段と、
前記ポール付きマルチキャストデータの送信回数が前記所定回数以上である場合に、前記複数のマルチキャスト受信局に対するリセット処理を要求するリセット手順起動手段と、
を備えたことを特徴とする請求項１、２または３に記載のマルチキャスト送信局。
【請求項５】
共通物理チャネルを用いて、すべてのマルチキャスト受信局に対し、無線リンク制御レイヤにおけるパケットデータユニットの分解、組立ておよび送達確認をとる状態変数をリセットする要求を示したリセットメッセージを送信する共通リセット要求手段と、
個別物理チャネル上ですべてのマルチキャスト受信局からリセット応答を受信できなかった場合に共通物理チャネルを用いて前記リセットメッセージを再送する共通リセット再要求手段と、
を備えたことを特徴とする請求項１〜４のいずれか一つに記載のマルチキャスト送信局。
【請求項６】
前記ポール付きマルチキャストデータの送信に対する各マルチキャスト受信局の送達確認通知応答の受信率に基づいて、無線品質劣化受信局を判定する品質判定手段と、
無線品質劣化受信局であると判定されたマルチキャスト受信局に対し、個別物理チャネルを用いて、無線リンク制御レイヤにおけるパケットデータユニットの分解、組立ておよび送達確認をとる状態変数をリセットする要求を示したリセットメッセージを送信する個別リセット要求手段と、
を備えたことを特徴とする請求項１〜５のいずれか一つに記載のマルチキャスト送信局。
【請求項７】
前記個別リセット要求手段によるリセットメッセージの送信に対してリセット応答を受信できなかった場合に個別物理チャネルを用いて前記リセットメッセージを再送する個別リセット再要求手段と、
前記個別リセット再要求手段によって所定の回数以上のリセットメッセージの再送がおこなわれた場合に、リセット要求先のマルチキャスト受信局をマルチキャストグループから離脱させる受信局解放手段と、
を備えたことを特徴とする請求項６に記載のマルチキャスト送信局。
【請求項８】
前記複数のマルチキャスト受信局によるサービスデータユニット（分解前または組立て完了後のデータユニット）の送達確認通知を受信するために、共通物理チャネルを用いてサービスデータユニット廃棄指示を示すメッセージを送信する共通廃棄指示手段と、
所定時間内に前記送達確認通知を受信することができないマルチキャスト受信局に対し、個別物理チャネルを用いてサービスデータユニット廃棄指示を示すメッセージを送信する個別廃棄指示手段と、
を備えたことを特徴とする請求項１〜７のいずれか一つに記載のマルチキャスト送信局。
【請求項９】
一つの送信局との間で共通物理チャネルと個別物理チャネルを用いてマルチキャスト通信をおこなうマルチキャストデータ受信局において、共通物理チャネル上で受信したポール付きマルチキャストデータに応じて、個別物理チャネルを用いて送達確認を送信するポール応答手段と、
個別物理チャネル上で受信したポール要求メッセージに応じて個別物理チャネルを用いて前記マルチキャストデータの再送要求を送信する再送要求送信手段と、
を備えたことを特徴とするマルチキャスト受信局。
【請求項１０】
共通物理チャネル上で受信した現状の順序通りに送達確認されている次のシーケンス番号の通知を用いて、当該シーケンス番号に関係付けられている無線リンク制御レイヤにおける状態変数を更新する受信設定更新手段を備えたことを特徴とする請求項９に記載のマルチキャスト受信局。
【請求項１１】
個別物理チャネル上で受信した送信局からのリセットメッセージを受信する手段と、
前記リセットメッセージに含まれる次の組立て開始シーケンス番号から受信データの組立てを開始する受信データ組立て手段と、
を備えたことを特徴とする請求項９または１０に記載のマルチキャスト受信局。
【請求項１２】
一つのマルチキャスト送信局と複数のマルチキャスト受信局との間で共通物理チャネルと個別物理チャネルを用いてマルチキャスト通信をおこなう無線マルチキャスト通信方法において、
前記マルチキャスト送信局が、共通物理チャネルを用いて前記複数のマルチキャスト受信局に対してマルチキャストデータを送信するステップと、
前記マルチキャスト送信局が、共通物理チャネルを用いてポール付きマルチキャストデータを送信するステップと、
前記マルチキャスト受信局が、前記ポール付きマルチキャストデータに応じて、個別物理チャネルを用いて送達確認を送信するステップと、
前記マルチキャスト送信局が、前記送達確認通知から個別ポール通知をおこなう受信局を一つ選択するステップと、
前記マルチキャスト送信局が、選択したマルチキャスト受信局に対してのみ個別物理チャネルを用いてポール要求メッセージを送信するステップと、
前記マルチキャスト受信局が、前記ポール要求メッセージに応じて個別物理チャネルを用いて前記マルチキャストデータの再送要求を送信するステップと、
前記マルチキャスト送信局が、選択したマルチキャスト受信局からの前記再送要求に基づいて、共通物理チャネルを用いて前記マルチキャストデータを再送するステップと、
を含んだことを特徴とする無線マルチキャスト通信方法。
【発明の詳細な説明】
【０００１】
【発明の属する技術分野】
この発明は、受信局から送信局への上りの無線回線干渉を抑えた高信頼なマルチキャスト通信を実現するマルチキャスト受信局、マルチキャスト送信局および無線マルチキャスト通信方法に関するものである。
【０００２】
【従来の技術】
図９は、従来の無線マルチキャスト通信方法を説明するための説明図である。従来の無線マルチキャスト通信方法においては、有線回線に比べ回線品質が悪い移動通信環境において、高信頼なデータ通信を実現するため、ＡＲＱ（Ａｕｔｏｍａｔｉｃ  Ｒｅｐｅａｔ  Ｒｅｑｕｅｓｔ）を用いている。ＡＲＱ方式としては、Ｇｏ  Ｂａｃｋ  Ｎ  ＡＲＱ（ＧＢＮ−ＡＲＱ）、Ｓｅｌｅｃｔｉｖｅ  Ｒｅｐｅａｔ  ＡＲＱ（ＳＲ−ＡＲＱ）が知られているが、いずれも、受信局からの再送要求通知をトリガとし、送信局にて、受信局から通知されたデータを再送するものである。
【０００３】
ここでさらに、受信局が再送要求をおこなう方式として、ポール方式と自立的ＳＴＡＴＵＳ通知方式が知られている。ポール方式は、送信局が送信データを送信した後（ステップＳ１１、Ｓ１２）、所定のタイミングで、ポール付き送信データを受信局に送信し（ステップＳ１３）、受信局は、そのポール設定されたフレームをトリガとして、送信局へ再送要求通知（ステップＳ２１）を通知する方式である。そして、送信局は、この再送要求通知に応じて再送データを送信する（ステップＳ１４）。
【０００４】
一方、自立的ＳＴＡＴＵＳ通知方式は、例えば周期タイマを用い、送信側からのポール設定フレームを用いずに自立的に送信局へフレーム再送要求をおこなう方式である。
【０００５】
マルチキャスト通信において効率的な再送を提供するには、ポール型の再送方式を用いることが多い。これは、自立的ＳＴＡＴＵＳ通知方式では、全受信局が同期して制御するタイミングがなく、結果として無駄な再送フレームが送信される可能性が高くなるためである。
【０００６】
【発明が解決しようとする課題】
しかしながら、従来のポール再送方式を用いるマルチキャスト通信システムでは、ポール要求に応じて再送要求が複数受信局からほぼ同時に複数フレームで送信されるため、上り回線品質を劣化させるという問題があった。また、このことは回線品質が悪くなるほど、再送要求が複数フレームにわたって送信されることを意味し、上り回線の干渉時間を増大させ、結果として再送効率を低くするという問題があった。
【０００７】
この発明は、上記のような問題点を解決するためになされたもので、上り回線の干渉量をできるだけ抑え、回線品質の悪い状況においても、データ転送効率の良いマルチキャスト受信局、マルチキャスト送信局および無線マルチキャスト通信方法を得ることを目的とする。
【０００８】
【課題を解決するための手段】
上述した課題を解決し、目的を達成するため、この発明にかかるマルチキャスト送信局にあっては、複数のマルチキャスト受信局との間で共通物理チャネルと個別物理チャネルを用いてマルチキャスト通信をおこなうマルチキャスト送信局において、共通物理チャネルを用いて前記複数のマルチキャスト受信局に対してマルチキャストデータを送信するデータ送信手段と、前記複数のマルチキャスト受信局による送達確認通知（ＡＣＫ）を受信するために、共通物理チャネルを用いてポール付きマルチキャストデータを送信するポール通知手段と、個別物理チャネル上で受信した前記送達確認通知から個別ポール通知をおこなうマルチキャスト受信局を一つ選択する選択手段と、前記選択手段によって選択したマルチキャスト受信局に対してのみ個別物理チャネルを用いてポール要求メッセージを送信する個別ポール通知手段と、前記選択手段によって選択したマルチキャスト受信局から個別物理チャネル上で受信した再送要求に基づいて、共通物理チャネルを用いて前記マルチキャストデータを再送するデータ再送手段と、を備えたことを特徴としている。
【０００９】
この発明によれば、共通物理チャネル上のポール要求の応答として各受信局からはＬＳＮのみを通知する１フレームのＡＣＫしか送信されず、再送要求が可能なマルチキャスト受信局も一つのみとなるので、従来の無線マルチキャスト通信システムのように全マルチキャスト受信局から再送要求が生じることがなくなり、ある一定時間、上りの無線干渉が増大してしまい、上り無線品質が劣化するという問題を回避することができる。
【００１０】
つぎの発明にかかるマルチキャスト送信局にあっては、上記発明において、前記選択手段が、受信した送達確認通知のうち、最も小さいシーケンス番号の送達確認通知を送信したマルチキャスト受信局を選択することを特徴としている。
【００１１】
つぎの発明にかかるマルチキャスト送信局にあっては、上記発明において、前記マルチキャスト受信局に対し、共通物理チャネルを用いて現状の順序通りに送達確認されている次のシーケンス番号を通知するシーケンス番号通知手段を備えたことを特徴としている。
【００１２】
この発明によれば、採用したシーケンス番号情報を、マルチキャスト送信局が共通物理チャネルを用いてマルチキャスト受信局へ通知するので、マルチキャスト受信局は、シーケンス番号情報に基づいて受信ウインドウの更新をおこなうことができる。
【００１３】
つぎの発明にかかるマルチキャスト送信局にあっては、上記発明において、前記ポール付きマルチキャストデータの送信に対する前記複数のマルチキャスト受信局の送達確認通知（ＡＣＫ）応答を監視するためのタイマ起動手段と、前記タイマ起動手段によって起動されたタイマのタイムアウト時に、前記ポール付きマルチキャストデータの送信回数が所定回数以上であるか否かを判定するポール回数判定手段と、前記ポール付きマルチキャストデータの送信回数が前記所定回数以上である場合に、前記複数のマルチキャスト受信局に対するリセット処理を要求するリセット手順起動手段と、を備えたことを特徴としている。
【００１４】
この発明によれば、共通物理チャネル上に送信するポール回数に制限を加え、どのマルチキャスト受信局からもＡＣＫが返らないような状況が発生した場合に、リセット手順を起動し、送受信局の送受信バッファをクリアすることにより、特に送信バッファあふれを防止する。また、リセット手順の中で、例えば無線品質の悪い受信局をマルチキャストグループより離脱させることにより、マルチキャストデータ転送レートの改善を図っている。
【００１５】
つぎの発明にかかるマルチキャスト送信局にあっては、共通物理チャネルを用いて、すべてのマルチキャスト受信局に対し、レイヤ２（無線リンク制御レイヤ）の状態変数をリセットする要求を示したリセットメッセージを送信する共通リセット要求手段と、個別物理チャネル上ですべてのマルチキャスト受信局からリセット応答（ＲＥＳＥＴ  ＡＣＫ）を一つでも受信できなかった場合（全受信局からのリセット応答を受信できなかった場合）に共通物理チャネルを用いて前記リセットメッセージを再送する共通リセット再要求手段と、を備えたことを特徴としている。
【００１６】
この発明によれば、すべてのマルチキャスト受信局からの応答が得られない場合に、共通物理チャネルを使用して、すべてのマルチキャスト受信局のリセットをおこなうことができる。
【００１７】
つぎの発明にかかるマルチキャスト送信局にあっては、上記発明において、前記ポール付きマルチキャストデータの送信に対して各マルチキャスト受信局の送達確認通知（ＡＣＫ）応答を受信する各マルチキャスト受信局の受信率から無線品質劣化受信局を判定する品質判定手段と、無線品質劣化受信局であると判定されたマルチキャスト受信局に対し、個別物理チャネルを用いて、レイヤ２（無線リンク制御レイヤ）状態変数をリセットする要求を示したリセットメッセージを送信する個別リセット要求手段と、を備えたことを特徴としている。
【００１８】
この発明によれば、共通物理チャネル上のポール応答として、ある一定期間ＡＣＫを返さないマルチキャスト受信局があれば、そのマルチキャスト受信局を品質の悪い受信局としてマルチキャストグループより離脱させることができる。
【００１９】
つぎの発明にかかるマルチキャスト送信局にあっては、上記発明において、前記個別リセット要求手段によるリセットメッセージの送信に対してリセット応答を受信できなかった場合に個別物理チャネルを用いて前記リセットメッセージを再送する個別リセット再要求手段と、前記個別リセット再要求手段によって所定の回数以上のリセットメッセージの再送がおこなわれた場合、リセット要求先のマルチキャスト受信局をマルチキャストグループから離脱させる受信局解放手段と、を備えたことを特徴としている。
【００２０】
この発明によれば、共通物理チャネル上でおこなうリセット要求と異なり、任意のマルチキャスト受信局のみに対してリセット要求をおこない、かつ個別物理チャネル上へのリセット再送回数が制限値を超える場合にはそのマルチキャスト受信局をマルチキャストグループから離脱させることができる。
【００２１】
つぎの発明にかかるマルチキャスト送信局にあっては、上記発明において、前記複数のマルチキャスト受信局の無線リンク制御レイヤによる分解前または組立て完了後のサービスデータユニットの廃棄確認通知（ＭＲＷ  ＡＣＫ）を受信するために、共通物理チャネルを用いてサービスデータユニット（ＳＤＵ）廃棄指示を示すメッセージを送信する共通廃棄指示手段と、所定時間内に前記送達確認通知（ＭＲＷ  ＡＣＫ）を受信することができないマルチキャスト受信局に対し、個別物理チャネルを用いてサービスデータユニット（ＳＤＵ）廃棄指示を示すメッセージを送信する個別廃棄指示手段と、を備えたことを特徴としている。
【００２２】
この発明によれば、サービスデータユニットを廃棄するメッセージを最初に共通物理チャネルへ通知し、その廃棄確認通知（ＭＲＷ  ＡＣＫ）を待った後、廃棄確認通知を応答してこないマルチキャスト受信局に対してのみ再度、個別物理チャネルを用いて、サービスデータユニットの廃棄要求をおこなうので、すべてのマルチキャスト受信局に対し個別に廃棄メッセージをおこなうのと比べ効率的に廃棄要求を実施することが可能となる。
【００２３】
つぎの発明にかかるマルチキャスト受信局にあっては、一つの送信局との間で共通物理チャネルと個別物理チャネルを用いてマルチキャスト通信をおこなうマルチキャストデータ受信局において、共通物理チャネル上で受信したポール付きマルチキャストデータに応じて、個別物理チャネルを用いて送達確認（ＡＣＫ）を送信するポール応答手段と、個別物理チャネル上で受信したポール要求メッセージに応じて個別物理チャネルを用いて前記マルチキャストデータの再送要求を送信する再送要求送信手段と、を備えたことを特徴としている。
【００２４】
この発明によれば、再送要求の可能な受信局として選択された時のみ再送要求をおこなうので、複数のマルチキャスト受信局が同時にマルチキャスト送信局に対して再送要求をおこなうことがなくなる。
【００２５】
つぎの発明にかかるマルチキャスト受信局にあっては、上記発明において、共通物理チャネル上で受信した現状の順序通りに送達確認されている次のシーケンス番号の通知を用いて、当該シーケンス番号に関係付けられているレイヤ２（無線リンク制御レイヤ）状態変数を更新する受信設定更新手段を備えたことを特徴としている。
【００２６】
この発明によれば、マルチキャスト通知される上記シーケンス番号を用いて、例えば、自局の順序通りに受信されている次のシーケンス番号より上記シーケンス番号が先に進んでいたら、その上記シーケンス番号までのデータを廃棄し、受信ウインドウを更新することができる。
【００２７】
つぎの発明にかかるマルチキャスト受信局にあっては、上記発明において、個別物理チャネル上で受信した送信局からのリセットメッセージを受信する手段と、前記リセットメッセージに含まれる次の組立て開始シーケンス番号から受信データの組立てを開始する受信データ組立て手段と、を備えたことを特徴としている。
【００２８】
この発明によれば、例えば、現状の受信バッファを開放後、リセットメッセージで通知された組立て開始シーケンス番号より、パケットの組立てを開始することができる。
【００２９】
つぎの発明にかかる無線マルチキャスト通信方法にあっては、一つのマルチキャスト送信局と複数のマルチキャスト受信局との間で共通物理チャネルと個別物理チャネルを用いてマルチキャスト通信をおこなう無線マルチキャスト通信方法において、前記マルチキャスト送信局が、共通物理チャネルを用いて前記複数のマルチキャスト受信局に対してマルチキャストデータを送信するステップと、前記マルチキャスト送信局が、共通物理チャネルを用いてポール付きマルチキャストデータを送信するステップと、前記マルチキャスト受信局が、前記ポール付きマルチキャストデータに応じて、個別物理チャネルを用いて送達確認（ＡＣＫ）を送信するステップと、前記マルチキャスト送信局が、前記送達確認通知から個別ポール通知をおこなう受信局を一つ選択するステップと、前記マルチキャスト送信局が、選択したマルチキャスト受信局に対してのみ個別物理チャネルを用いてポール要求メッセージを送信するステップと、前記マルチキャスト受信局が、前記ポール要求メッセージに応じて個別物理チャネルを用いて前記マルチキャストデータの再送要求を送信するステップと、前記マルチキャスト送信局が、選択したマルチキャスト受信局からの前記再送要求に基づいて、共通物理チャネルを用いて前記マルチキャストデータを再送するステップと、を含んだことを特徴としている。
【００３０】
この発明によれば、共通物理チャネル上のポール要求の応答として各受信局からは順序通りに受信されている次のシーケンス番号のみを通知する１フレームのＡＣＫしか送信されず、再送要求が可能なマルチキャスト受信局も一つのみとなるので、全マルチキャスト受信局からの再送要求によってある一定時間、上りの無線干渉が増大してしまい、上り無線品質が劣化するという問題を回避することができる。
【００３１】
【発明の実施の形態】
以下に、この発明にかかるマルチキャスト送信局とマルチキャスト受信局とで構成された無線マルチキャスト通信システムおよび無線マルチキャスト通信方法の実施の形態を図面に基づいて詳細に説明する。なお、この実施の形態によりこの発明が限定されるものではない。
【００３２】
実施の形態１．
まず、実施の形態１にかかる無線マルチキャスト通信システムおよび無線マルチキャスト通信方法について説明する。図１は、実施の形態１にかかる無線マルチキャスト通信システムを説明するための説明図であり、特に、無線マルチキャスト通信システムにおける送信局と受信局間の無線物理チャネル構成を示したものである。
【００３３】
図１では、無線マルチキャスト通信システムの動作の説明を容易にするために、所定の通信エリア内において、送信局１０と、３つの受信局ＲＡ、ＲＢおよびＲＣとが無線通信をおこなう場合を例に示している。また、この無線マルチキャスト通信システムでは、同図に示すように、マルキャストデータおよび制御データを送信する共通物理チャネルＣ１と、受信局毎の制御データを送受信する個別物理チャネルＣ２、Ｃ３およびＣ４とを用いてマルチキャスト通信を制御する。なお、図１に示した説明図は、後述する実施の形態２〜７においても共通するものとする。
【００３４】
以下に、実施の形態１にかかる無線マルチキャスト通信システムの動作について説明する。図２は、実施の形態１にかかる無線マルチキャスト通信システムの動作を説明するためのシーケンス図である。まず、送信局１０は、共通物理チャネル上にマルチキャストデータを送信する（ステップＳ１０１）。つづいて、送信局１０は、周期的なタイマやレイヤ２（無線リンク制御レイヤ）のウインドウサイズ等の所定のタイミングで、共通物理チャネルを用いてポール付きマルチキャストデータを送信する（ステップＳ１０２）。なお、ウインドウサイズとは、送達確認をとらずに送信することができるパケットデータ数をいう。
【００３５】
各受信局ＲＡ、ＲＢおよびＲＣは、送信局１０からポール付きマルチキャストデータを受信すると、上りの個別物理チャネルを使用して送信局１０に対し、ＡＣＫを通知する（ステップＳ２０１、Ｓ３０１、Ｓ４０１）。一方、送信局１０は、ポール付きマルチキャストデータを送信した直後にタイマ（ＡＣＫ＿ＴＩＭＥＲ）を起動しており（ステップＳ１０３）、一定時間内にすべての受信局からＡＣＫが通知されると、タイマを停止し（ステップＳ１０４）、通知されたＡＣＫの中で最も値の小さいＬＳＮ（Ｌａｓｔ  Ｓｅｑｕｅｎｃｅ  Ｎｕｍｂｅｒ）を持つ受信局を判定する（ステップＳ１０５）。なお、ここで、ＬＳＮとは、誤りなく連続受信できたフレームの次のシーケンス番号（ＶＲ（Ｒ））を示す。
【００３６】
そして、送信局１０は、例えば、受信局ＲＣが最も値の小さいＬＳＮを持つ受信局であったとすると、その受信局ＲＣに対し、個別物理チャネルを用いて個別ポール要求を示すＳｔａｔｕｓ  Ｐｏｌｌを送信する（ステップＳ１０６）。受信局ＲＣは、Ｓｔａｔｕｓ  Ｐｏｌｌを受信すると、上りの個別物理チャネルを用いて再送要求を送信する（ステップＳ４０２）。送信局１０は、個別物理チャネル上でこの再送要求を受信すると、共通物理チャネルを用いて再送マルチキャストデータを送信する（ステップＳ１０７）。
【００３７】
以上に説明したとおり、実施の形態１にかかる無線マルチキャスト通信システムおよび無線マルチキャスト通信方法によれば、共通物理チャネル上のポール要求の応答として各受信局からはＬＳＮのみを通知する１フレームのＡＣＫしか送信されないため、回線品質が劣化したとしても、各受信局から複数フレームで構成される再送要求が送信されることはない。そのため、無線品質が劣化したとしても、上り回線の干渉を増加させることはなく、送信局における再送要求の受信確率を上げることができる。
【００３８】
実施の形態２．
つぎに、実施の形態２にかかる無線マルチキャスト通信システムおよび無線マルチキャスト通信方法について説明する。上述した実施の形態１では、ＡＣＫを通知した受信局の中で最も小さなＬＳＮを持つ受信局に対してのみＳｔａｔｕｓＰｏｌｌを通知するため、他の受信局は、送信局が採用したＬＳＮを把握することができないが、実施の形態２では、Ｓｔａｔｕｓ  Ｐｏｌｌを受信しなかった受信局においても、送信局の採用したＬＳＮを把握できることを特徴としている。
【００３９】
なお、実施の形態２にかかる無線通信システムの構成については、図１の例に示したとおりなのでここではその説明を省略する。よって、以下に実施の形態２にかかる無線マルチキャスト通信システムの動作について説明する。図３は、実施の形態２にかかる無線マルチキャスト通信システムの動作を説明するためのシーケンス図である。
【００４０】
まず、送信局１０は、共通物理チャネルを用いてマルチキャストデータを送信する（ステップＳ１０１）。つづいて、送信局１０は、共通物理チャネルを用いて、ＬＳＮ通知ＳＴＡＴＵＳ  ＰＤＵ（Ｐａｃｋｅｔ  Ｄａｔａ  Ｕｎｉｔ）を送信する（ステップＳ１０２）。なお、ＳＴＡＴＵＳ  ＰＤＵとは、ＡＣＫやＲＥＳＥＴ等の無線リンク制御情報を伝達するパケットデータユニットである。この際、送信局１０は、ＬＳＮ通知ＳＴＡＴＵＳ  ＰＤＵの送信を周期的におこなうためのタイマ（Ｐｅｒｉｏｄｉｃ  ＬＳＮ  Ｔｉｍｅｒ）を起動する（ステップＳ１０３）。
【００４１】
さらに、送信局１０は、ＬＳＮ通知ＳＴＡＴＵＳ  ＰＤＵを送信した後、共通物理チャネル上にポール付きマルチキャストデータを送信し（ステップＳ１０４）、同時に上記タイマとは別のタイマ（ＡＣＫ＿ＴＩＭＥＲ）を起動する（ステップＳ１０５）。一方、各受信局ＲＡ、ＲＢおよびＲＣは、送信局１０からポール付きマルチキャストデータを受信すると、上りの個別物理チャネルを使用して送信局１０に対し、ＡＣＫを通知する（ステップＳ２０１、Ｓ３０１、Ｓ４０１）。
【００４２】
そして、送信局１０は、ＡＣＫ＿ＴＩＭＥＲがタイムアウトした時点で（ステップＳ１０６）、そのタイマが起動中に受信したＡＣＫの中で最小のＬＳＮを持つ受信局を判定する（ステップＳ１０７）。なお、ここでは、受信局ＲＡが送信したＡＣＫのみが送信局にて受信され、他の受信局ＲＢおよびＲＣが送信したＡＣＫは、無線上で誤りが発生し送信局にて正常に受信されていない場合を考える。この場合、送信局１０は、受信局ＲＡのＡＣＫのみを受信していることになり、必然的に受信局ＲＡが最小のＬＳＮを持つ受信局であると判定される。
【００４３】
よって、送信局１０は、受信局ＲＡに対し、個別物理チャネルを用いて個別ポール要求を示すＳｔａｔｕｓ  Ｐｏｌｌを送信する（ステップＳ１０８）。受信局ＲＡは、Ｓｔａｔｕｓ  Ｐｏｌｌを受信すると、上りの個別物理チャネルを用いて再送要求を送信する（ステップＳ２０２）。送信局１０は、個別物理チャネル上でこの再送要求を受信すると、共通物理チャネルを用いて再送マルチキャストデータを送信する（ステップＳ１０９）。
【００４４】
ここで、送信局１０は、受信局ＲＡから通知されたＬＳＮに従って送信ウインドウ（送信確認をとらずに送信可能なＰＤＵ数）を更新するため、次の再送要求受信時に、このＬＳＮより小さなシーケンス番号をもったデータの再送を要求されても再送することはできない。これは、送信局が、送信バッファあふれを防ぐため、ＬＳＮより小さなシーケンス番号を持つＰＤＵを廃棄するためである。そこで、送信局１０は、Ｐｅｒｉｏｄｉｃ  ＬＳＮ  Ｔｉｍｅｒがタイムアウトすると（ステップＳ１１０）、共通物理チャネルを用いてＬＳＮ通知ＳＴＡＴＵＳ
ＰＤＵを送信する（ステップＳ１１１）。
【００４５】
各受信局ＲＡ、ＲＢおよびＲＣは、このＬＳＮ通知ＳＴＡＴＵＳ  ＰＤＵを受信することにより、送信局１０で採用されたＬＳＮを把握することができ、同時に、通知されたＬＳＮより小さなＰＤＵを廃棄して、受信ウインドウを更新することができる。
【００４６】
また、送信局１０は、再送マルチキャストデータの送信中、または、再送マルチキャストデータの送信後であって新規マルチキャストデータの送信前に、ＬＳＮ通知ＳＴＡＴＵＳ  ＰＤＵを通知することが送信効率をあげる上で望ましい。この場合、送信局１０は、Ｐｅｒｉｏｄｉｃ  ＬＳＮ  Ｔｉｍｅｒによって周期的に送信されるＬＳＮ通知ＳＴＡＴＵＳ  ＰＤＵと、再送マルチキャストデータを送信中、または、再送マルチキャストデータを送信後に直ちに送信されるＬＳＮ通知ＳＴＡＴＵＳ  ＰＤＵとを組み合わせて使用する。なお、再送マルチキャストデータを送信中、または、再送マルチキャストデータを送信後に直ちに送信されるＬＳＮ通知ＳＴＡＴＵＳ  ＰＤＵのみを使用することも可能である。
【００４７】
以上に説明したとおり、実施の形態２にかかる無線マルチキャスト通信システムおよび無線マルチキャスト通信方法によれば、送信局が再送マルチキャストチャネルデータの送信直後に、共通物理チャネルを用いてＬＳＮ通知ＳＴＡＴＵＳＰＤＵを送信するので、実施の形態１による効果を享受することができるとともに、送信局が採用したＬＳＮを全ての受信局が把握でき、各受信局は受信ウインドウを更新することが可能となる。
【００４８】
実施の形態３．
つぎに、実施の形態３にかかる無線マルチキャスト通信システムおよび無線マルチキャスト通信方法について説明する。実施の形態３にかかる無線マルチキャスト通信システムおよび無線マルチキャスト通信方法は、送信局が、全ての受信局からのＡＣＫを受信することができなかった場合に、リセットをおこなうことを特徴としている。
【００４９】
なお、実施の形態３にかかる無線通信システムの構成についても、図１の例に示したとおりなのでここではその説明を省略する。よって、以下に実施の形態３にかかる無線マルチキャスト通信システムの動作について説明する。図４は、実施の形態３にかかる無線マルチキャスト通信システムの動作を説明するためのシーケンス図である。
【００５０】
まず、送信局１０は、共通物理チャネルを用いてマルチキャストデータを送信する（ステップＳ１０１）。つづいて、送信局１０は、所定のタイミングで、共通物理チャネルを用いて、ポール付きマルチキャストデータを送信し（ステップＳ１０２）、同時にタイマ（ＡＣＫ＿ＴＩＭＥＲ）を起動する（ステップＳ１０３）。一方、各受信局ＲＡ、ＲＢおよびＲＣは、送信局１０からポール付きマルチキャストデータを受信すると、上りの個別物理チャネルを使用して送信局１０に対し、ＡＣＫを通知する（ステップＳ２０１、Ｓ３０１、Ｓ４０１）。
【００５１】
そして、送信局１０は、ＡＣＫ＿ＴＩＭＥＲがタイムアウトした時点で（ステップＳ１０４）、各受信局から送信されたすべてのＡＣＫに無線上で誤りが発生したことから、送信局１０がそれらすべてのＡＣＫを正常に受信することができなかった場合、ポール送信回数を示す所定の変数（以下、再送回数値と称する。）が所定のオーバ回数未満であるか否かを判定する（ステップＳ１０５）。上記再送回数値がオーバ回数未満である場合、送信局１０は、その再送回数値を１増加させ、再度、共通物理チャネルを用いて、ポール付きマルチキャストデータを送信し（ステップＳ１０６）、同時にタイマ（ＡＣＫ＿ＴＩＭＥＲ）を起動する（ステップＳ１０７）。
【００５２】
以上のポール付きマルチキャストデータの再送信は、送信局１０が少なくとも一つの受信局からＡＣＫを受信するまで繰り返されるが、ＡＣＫ＿ＴＩＭＥＲがタイムアウトした時点（ステップＳ１０８）のポール送信回数判定（ステップＳ１０９）において、再送回数値が所定のオーバ回数以上となると、送信局１０は、ＡＬＬ  ＲＥＳＥＴ手順を起動し（ステップＳ５００）、各受信局の動作をリセットする。
【００５３】
以上に説明したとおり、実施の形態３にかかる無線マルチキャスト通信システムおよび無線マルチキャスト通信方法によれば、送信局が、いずれの受信局からもＡＣＫを受信することができない場合にも、受信局に対してリセット手順を起動するので、無限に再送を繰り返すことなく、通信を継続することが可能となる。
【００５４】
実施の形態４．
つぎに、実施の形態４にかかる無線マルチキャスト通信システムおよび無線マルチキャスト通信方法について説明する。なお、実施の形態４は、実施の形態３でおこなわれるリセット手順等、受信局の動作をリセットする方法を説明するものである。
【００５５】
図５は、実施の形態４にかかる無線マルチキャスト通信システムの動作を説明するためのシーケンス図であり、特にリセット手順を示している。まず、送信局１０は、ＡＬＬ  ＲＥＳＥＴ手順が起動されると、共通物理チャネルを用いてすべての受信局ＲＡ、ＲＢおよびＲＣに対し、ＲＥＳＥＴ  ＰＤＵを送信し（ステップＳ５０１）、同時にタイマ（共通Ｒｅｓｅｔ  Ｔｉｍｅｒ）を起動する（ステップＳ５０２）。
【００５６】
一方、各受信局ＲＡ、ＲＢおよびＲＣは、送信局１０からＲＥＳＥＴ  ＰＤＵを受信すると、上りの個別物理チャネルを使用して送信局１０に対し、ＲＥＳＥＴ  ＡＣＫを送信する（ステップＳ２１１、Ｓ３１１、Ｓ４１１）。
【００５７】
そして、送信局１０は、共通Ｒｅｓｅｔ  Ｔｉｍｅｒがタイムアウトした時点で（ステップＳ５０３）、無線上で誤りが発生したことから、送信局１０が受信局ＲＡ、ＲＢおよびＲＣからの少なくとも一つのＲＥＳＥＴ  ＡＣＫを正常に受信することができなかった場合、共通ＲＥＳＥＴ再送回数を示す所定の変数（以下、ＲＥＳＥＴ再送回数値と称する。）が所定のオーバ回数未満であるか否かを判定する（ステップＳ５０４）。上記ＲＥＳＥＴ再送回数値がオーバ回数未満である場合、送信局１０は、そのＲＥＳＥＴ再送回数値を１増加させ、再度、上記ステップＳ５０１からの処理を繰り返す。
【００５８】
一方、送信局１０は、共通ＲＥＳＥＴ再送回数判定（ステップＳ５０４）において、Ｒｅｓｅｔ再送回数値が所定のオーバ回数以上となると、ＲＥＳＥＴ  ＰＤＵの再送期間中に一度もＲＥＳＥＴ  ＡＣＫを受信できなかった受信局（図５においては受信局ＲＣ）に対し、マルチキャストＲＢ解放手順を起動する（ステップＳ５０５）。なお、ＲＥＳＥＴ  ＰＤＵの再送期間中に一度でもＲＥＳＥＴＡＣＫを受信することができれば、そのＲＥＳＥＴ  ＡＣＫを送信した受信局に対して、その後のＲＥＳＥＴ  ＰＤＵの再送期間中にＲＥＳＥＴ  ＡＣＫを受信できなくても、リセットが完了したものとみなす。
【００５９】
以上に説明したとおり、実施の形態４にかかる無線マルチキャスト通信システムおよび無線マルチキャスト通信方法によれば、所定期間内にＡＣＫを受信することができない受信局の動作を確実にリセットすることができるので、無線品質の悪い受信局をマルチキャストグループから脱退させることができ、ある一定のマルチキャスト通信品質を確保することが可能となる。
【００６０】
実施の形態５．
つぎに、実施の形態５にかかる無線マルチキャスト通信システムおよび無線マルチキャスト通信方法について説明する。実施の形態５にかかる無線マルチキャスト通信システムおよび無線マルチキャスト通信方法は、無線品質の悪い受信局の受信ウインドウをリセットすることで、高品質な状態のマルチキャスト通信を継続することを特徴としている。
【００６１】
なお、実施の形態５にかかる無線通信システムの構成についても、図１の例に示したとおりなのでここではその説明を省略する。よって、以下に実施の形態５にかかる無線マルチキャスト通信システムの動作について説明する。図６は、実施の形態５にかかる無線マルチキャスト通信システムの動作を説明するためのシーケンス図である。
【００６２】
まず、送信局１０は、共通物理チャネルを用いてマルチキャストデータを送信する（ステップＳ１０１）。つづいて、送信局１０は、所定のタイミングで、共通物理チャネルを用いて、ポール付きマルチキャストデータを送信し（ステップＳ１０２）、同時にタイマ（ＡＣＫ＿ＴＩＭＥＲ）を起動する（ステップＳ１０３）。一方、各受信局ＲＡ、ＲＢおよびＲＣは、送信局１０からポール付きマルチキャストデータを受信すると、上りの個別物理チャネルを使用して送信局１０に対し、ＡＣＫを通知する（ステップＳ２０１、Ｓ３０１、Ｓ４０１）。
【００６３】
そして、送信局１０は、ＡＣＫ＿ＴＩＭＥＲがタイムアウトすると（ステップＳ１０４）、各受信局ＲＡ、ＲＢおよびＲＣの品質判定をおこなう（ステップＳ１０５）。この受信局毎の品質判定は、一定のマルチキャスト通信品質を確保するため、ＡＣＫ＿ＴＩＭＥＲのタイムアウト時に、３回連続してポールタイミングにてＡＣＫを応答できなかった受信局を受信品質の悪い受信局と判定するものである。つづいて、送信局１０は、受信品質の悪いものと判定された受信局に対する個別リセット手順を起動する。
【００６４】
ここでは、ＡＣＫ＿ＴＩＭＥＲの作動期間中の複数回のポール要求、すなわちタイマ期間中におこなわれる複数回のポール付きマルチキャストデータの送信に対し、連続して３回、受信局ＲＣからのＡＣＫ通知が正常に受信されなかった場合を考える。この場合、送信局１０は、受信局ＲＣに対する個別リセット手順を起動する（ステップＳ１０６）。
【００６５】
この個別リセット手順において、送信局１０は、まず、受信局ＲＣに対し、個別物理チャネルを用いて、個別ＲＥＳＥＴ  ＰＤＵを送信する（ステップＳ１０７）。また、送信局１０は、この際、同時にタイマ（個別Ｒｅｓｅｔ  Ｔｉｍｅｒ）を起動する（ステップＳ１０８）。なお、個別ＲＥＳＥＴ  ＰＤＵには、次に組立てがおこなわれるＳＮ（Ｓｅｑｕｅｎｃｅ  Ｎｕｍｂｅｒ）が設定される。
【００６６】
受信局ＲＣは、個別物理チャネル上において個別ＲＥＳＥＴ  ＰＤＵ（ＬＳＮ）を受信すると、上りの個別物理チャネルを用いて個別ＲＥＳＥＴ  ＡＣＫを送信する（ステップＳ４０２）。また、この時、受信局ＲＣは、受信バッファおよび受信ウインドウをリセットする。その後、受信局ＲＣは、ＲＥＳＥＴ  ＰＤＵで通知されたＳＮ以上のＰＤＵを受信した際に、そのＳＮを用いて受信データの組立てを開始する。なお、送信局１０は、個別Ｒｅｓｅｔ  Ｔｉｍｅｒによるタイマ期間内に受信局ＲＣからの個別ＲＥＳＥＴ ＡＣＫを受信すると、そのタイマを停止する（ステップＳ１０９）。
【００６７】
以上に説明したとおり、実施の形態５にかかる無線マルチキャスト通信システムおよび無線マルチキャスト通信方法によれば、受信品質の悪い受信局のために、再送が繰り返されないように、受信品質の悪い受信局のバッファをリセットし、かつ、その受信局の受信ウインドウを更新するので、マルチキャスト通信品質を一定に保つことができる。
【００６８】
実施の形態６．
つぎに、実施の形態６にかかる無線マルチキャスト通信システムおよび無線マルチキャスト通信方法について説明する。実施の形態６にかかる無線マルチキャスト通信システムおよび無線マルチキャスト通信方法は、マルチキャスト通信品質を一定に保つため、受信品質の悪い受信局をマルチキャストグループから離脱させることを特徴としている。
【００６９】
なお、実施の形態６にかかる無線通信システムの構成についても、図１の例に示したとおりであり、また、その動作については図６に示した個別ＲＥＳＥＴ手順起動（ステップＳ１０６）以前の処理と共通するのでここではそれらの説明を省略する。よって、以下においては、実施の形態６にかかる無線マルチキャスト通信システムの動作について、個別ＲＥＳＥＴ手順起動以降の処理を説明する。図７は、実施の形態６にかかる無線マルチキャスト通信システムの動作を説明するためのシーケンス図であり、特に、個別ＲＥＳＥＴ手順起動以降の処理を示す。
【００７０】
なお、ここでは、送信局１０において、受信局ＲＣが、受信品質の悪いものと判定されたとする。送信局１０は、上述した実施の形態５で説明したように、個別ＲＥＳＥＴ手順を起動すると、受信局ＲＣに対し、個別物理チャネルを用いて、個別ＲＥＳＥＴ  ＰＤＵを送信する（ステップＳ１１０）。また、送信局１０は、この際、同時にタイマ（個別Ｒｅｓｅｔ  Ｔｉｍｅｒ）を起動する（ステップＳ１１１）。なお、個別ＲＥＳＥＴ  ＰＤＵには、次に組立てがおこなわれるＳＮ（Ｓｅｑｕｅｎｃｅ  Ｎｕｍｂｅｒ）が設定される。
【００７１】
そして、送信局１０は、受信局ＲＣからのＡＣＫを受信することができなかったために個別Ｒｅｓｅｔ  Ｔｉｍｅｒがタイムアウトした場合（ステップＳ１１２）、タイムアウト数が所定のオーバ回数未満であるか否かを判定する（ステップＳ１１３）。上記タイムアウト数がオーバ回数未満である場合、送信局１０は、そのタイムアウト数を１増加させ、再度、受信局ＲＣに対し、個別物理チャネルを用いて、個別ＲＥＳＥＴ  ＰＤＵを送信し（ステップＳ１１４）、同時にタイマ（個別Ｒｅｓｅｔ  Ｔｉｍｅｒ）を起動する（ステップＳ１１５）。
【００７２】
以上の個別のＲＥＳＥＴ  ＰＤＵの再送信は、タイムアウト時（ステップＳ１１６）におけるタイムアウト回数判定（ステップＳ１１７）において、Ｒｅｓｅｔ再送回数値が所定のオーバ回数以上となるまで繰り返され、Ｒｅｓｅｔ再送回数値が所定のオーバ回数以上となると、その受信局ＲＣに対し、マルチキャストＲＢ解放手順を起動する（ステップＳ１１８）。ここで、ＲＢ解放手順とは、無線ベアラの解放を意味する。
【００７３】
以上に説明したとおり、実施の形態６にかかる無線マルチキャスト通信システムおよび無線マルチキャスト通信方法によれば、受信品質の悪い受信局をマルチキャストグループより離脱させることができるので、マルチキャスト通信品質を一定に保つことが可能となる。
【００７４】
実施の形態７．
つぎに、実施の形態７にかかる無線マルチキャスト通信システムおよび無線マルチキャスト通信方法について説明する。受信局に対し送達確認のとれないサービスデータユニットに対して送達確認を続けると、送信ウインドウを更新することができずに、送信局の送信バッファあふれやマルチキャスト送信レートの低下という問題を引き起こす。そこで、実施の形態７にかかる無線マルチキャスト通信システムおよび無線マルチキャスト通信方法では、その問題を解決するために、ライフタイムオーバのサービスデータユニットを効率的に廃棄することを特徴としている。
【００７５】
なお、実施の形態７にかかる無線通信システムの構成についても、図１の例に示したとおりであるのでここではその説明を省略する。よって、以下においては、実施の形態７にかかる無線マルチキャスト通信システムの動作について説明する。図８は、実施の形態７にかかる無線マルチキャスト通信システムの動作を説明するためのシーケンス図である。
【００７６】
まず、送信局１０のデータ転送制御モジュールであるレイヤ２（無線リンク制御レイヤ）は、レイヤ３から送信フレームを受信すると、Ｔｉｍｅｒ＿Ｄｉｓｃａｒｄタイマを起動する（ステップＳ６０１）。そして、送信局１０は、共通物理チャネルを用いてマルチキャストデータを送信する（ステップＳ６０２）。ここで、送信局１０は、Ｔｉｍｅｒ＿Ｄｉｓｃａｒｄタイマの動作期間内において、各受信局ＲＡ、ＲＢおよびＲＣとの間でサービスデータユニットに対する送達確認がとれた場合には、Ｔｉｍｅｒ＿Ｄｉｓｃａｒｄタイマを停止する。一方、いずれの受信局とも送達確認がとれないために、Ｔｉｍｅｒ＿Ｄｉｓｃａｒｄタイマがタイムアウトしてしまった場合には（ステップＳ６０３）、送信局１０は、共通ＳＤＵ（Ｓｅｒｖｉｃｅ  Ｄａｔａ  Ｕｎｉｔ）廃棄手順を起動し（ステップＳ６０４）、共通物理チャネルを用いてＭＲＷ  ＰＤＵ（Ｍｏｖｅ  Ｒｅｃｅｉｖｅ  Ｗｉｎｄｏｗ  ＰＤＵ：ＳＤＵ廃棄指示）を送信する（ステップＳ６０５）。
【００７７】
また、送信局１０は、ＭＲＷ  ＰＤＵを送信すると同時にＭＲＷ＿ＡＣＫ  Ｔｉｍｅｒを起動する（ステップＳ６０６）。一方、各受信局ＲＡ、ＲＢおよびＲＣは、送信局１０からＭＲＷ  ＰＤＵを受信した場合、当該ＰＤＵで通知されたサービスデータユニットを廃棄し、受信ウインドウを更新した後、上りの個別物理チャネルを使用して送信局１０に対し、ＭＲＷ  ＡＣＫを通知する（ステップＳ２２１、Ｓ３２１）。なお、ここでは、受信局ＲＣがＭＲＷ  ＰＤＵを受信できなかったものとする。
【００７８】
つづいて、送信局１０は、ＭＲＷ＿ＡＣＫ  Ｔｉｍｅｒがタイムアウトした時点で（ステップＳ６０７）、個別ＳＤＵ廃棄手順を起動し（ステップＳ６０８）、ＭＲＷ  ＡＣＫを受信できなかった受信局ＲＣに対し、個別物理チャネルを用いて個別ＭＲＷを再送する（ステップＳ６０９）。受信局ＲＣは、個別ＭＲＷを受信すると、個別物理チャネルを用いて、指定されたサービスデータユニットを廃棄することで受信ウインドウを更新し、上りの個別物理チャネルを用いて、個別ＭＲＷ＿ＡＣＫを送信局１０に送信する（ステップＳ４２１）。
【００７９】
以上に説明したとおり、実施の形態７にかかる無線マルチキャスト通信システムおよび無線マルチキャスト通信方法によれば、共通物理チャネル上へのＭＲＷ（サービスデータユニット廃棄指示）を送信することで、個別に指示する受信局の数を減らし、共通物理チャネルで応答のなかった受信局に対してのみ、個別物理チャネルを用いてＭＲＷを再送するので、ＭＲＷ手順の効率化を図ることができる。
【００８０】
【発明の効果】
以上、説明したとおり、この発明によれば、共通チャネル上のポール応答としては、ＡＣＫのみで確実に１フレームで通知でき、かつ、情報量が少ないため、ＳＦ（拡散率）を大きくすることができ、上り無線品質をあげることができるという効果を奏する。また、干渉によりすべての受信局（移動機）からのＡＣＫが受信できなくても、マルチキャスト通信が継続できるという効果を奏する。
【００８１】
つぎの発明によれば、ＡＣＫに含まれるＬＳＮ（Ｌａｓｔ  ＳｅｑｕｅｎｃｅＮｕｍｂｅｒ）情報に基づいて、再送要求を許可するマルチキャスト受信局を選択することができるという効果を奏する。
【００８２】
つぎの発明によれば、マルチキャスト送信局が採用したＬＳＮをすべてのマルチキャスト受信局が把握でき、各マルチキャスト受信局は受信ウインドウを更新することが可能となるという効果を奏する。
【００８３】
つぎの発明によれば、マルチキャスト送信局が、いずれのマルチキャスト受信局からもＡＣＫを受信することができない場合にも、すべてのマルチキャスト受信局に対してリセット手順を起動するので、無限に再送を繰り返すことなく、通信を継続することが可能となるという効果を奏する。
【００８４】
つぎの発明によれば、所定期間内にＡＣＫを受信することができないマルチキャスト受信局の動作を確実にリセットすることができるので、無線品質の悪いマルチキャスト受信局をマルチキャストグループから脱退させることができ、ある一定のマルチキャスト通信品質を確保することが可能となるという効果を奏する。
【００８５】
つぎの発明によれば、受信品質の悪いマルチキャスト受信局のために、再送が繰り返されないように、例えば、受信品質の悪い受信局のバッファをリセットし、かつ、その受信局の受信ウインドウを更新することができるので、マルチキャスト通信品質を一定に保つことができるという効果を奏する。
【００８６】
つぎの発明によれば、受信品質の悪い受信局をマルチキャストグループより確実に離脱させることができるので、マルチキャスト通信品質を一定に保つことが可能となるという効果を奏する。
【００８７】
つぎの発明によれば、個別に指示するマルチキャスト受信局の数を減らし、共通物理チャネルで応答のなかったマルチキャスト受信局に対してのみ、パワーコントロールされている個別物理チャネルを用いてＭＲＷを再送するので、ＭＲＷ手順の効率化をはかることができるという効果を奏する。
【００８８】
つぎの発明によれば、再送要求の可能な受信局として選択された時のみ再送要求をおこなうので、複数のマルチキャスト受信局が同時にマルチキャスト送信局に対して再送要求をおこなうことがなくなり、上り無線品質をあげることができるという効果を奏する。
【００８９】
つぎの発明によれば、マルチキャスト通知されるＬＳＮを用いて、例えば、自局のＬＳＮよりシーケンス番号が先に進んでいたら、このＬＳＮまでのデータを廃棄し、受信ウインドウを更新することができるので、これにより、無駄な再送要求や受信バッファの保持が必要なくなり、かつ、受信ウインドウが更新されることで、新規データの受信が可能となり、効率的なマルチキャスト伝送を提供することが可能となるという効果を奏する。
【００９０】
つぎの発明によれば、例えば、現状の受信バッファを開放後、リセットメッセージで通知された組立て開始シーケンス番号より、パケットの組立てを開始することができ、これにより、１つのマルチキャスト受信局の無線品質が劣化したとしても、すべてのマルチキャスト受信局のリセットを起動する必要がなくなり、効率的なマルチキャスト伝送を提供することができるという効果を奏する。
【００９１】
つぎの発明によれば、共通物理チャネル上のポール要求の応答として各受信局からはＬＳＮのみを通知する１フレームのＡＣＫしか送信されないため、回線品質が劣化したとしても、各受信局から複数フレームで構成される再送要求が送信されることはなくなり、無線品質が劣化したとしても、上り回線の干渉を増加させることはなく、送信局における再送要求の受信確率を上げることができるという効果を奏する。
【図面の簡単な説明】
【図１】  実施の形態１にかかる無線マルチキャスト通信システムを説明するための説明図である。
【図２】  実施の形態１にかかる無線マルチキャスト通信システムの動作を説明するためのシーケンス図である。
【図３】  実施の形態２にかかる無線マルチキャスト通信システムの動作を説明するためのシーケンス図である。
【図４】  実施の形態３にかかる無線マルチキャスト通信システムの動作を説明するためのシーケンス図である。
【図５】  実施の形態４にかかる無線マルチキャスト通信システムの動作を説明するためのシーケンス図である。
【図６】  実施の形態５にかかる無線マルチキャスト通信システムの動作を説明するためのシーケンス図である。
【図７】  実施の形態６にかかる無線マルチキャスト通信システムの動作を説明するためのシーケンス図である。
【図８】  実施の形態７にかかる無線マルチキャスト通信システムの動作を説明するためのシーケンス図である。
【図９】  従来の無線マルチキャスト通信方法を説明するための説明図である。
【符号の説明】
１０  送信局、ＲＡ，ＲＢ，ＲＣ  受信局。
【図１】
0003822466.tif 000002
【図２】
0003822466.tif 000003
【図３】
0003822466.tif 000004
【図４】
0003822466.tif 000005
【図５】
0003822466.tif 000006
【図６】
0003822466.tif 000007
【図７】
0003822466.tif 000008
【図８】
0003822466.tif 000009
【図９】
0003822466.tif 000010